(57)【要約】  本発明はリソース構成方法及び装置、コンピュータ記憶媒体を開示し、前記方法は、端末がネットワーク装置から送信された第１制御情報を受信し、前記第１制御情報がＮ個のスロットのスロット構造情報を含み、Ｎが正の整数であることと、前記端末が前記第１制御情報に基づいて前記Ｎ個のスロットのスロット構造を決定することと、を含む。
2021516471.tif 000002
【特許請求の範囲】
【請求項１】
リソース構成方法であって、
端末が、ネットワーク装置から送信された第１制御情報を受信し、前記第１制御情報がＮ個のスロットのスロット構造情報を含み、Ｎが正の整数であることと、
前記端末が、前記第１制御情報に基づいて前記Ｎ個のスロットのスロット構造を決定することと、を含む、前記リソース構成方法。
【請求項２】
前記第１制御情報は、第１時間周期における前記Ｎ個のスロットの時間領域位置を決定するための第１ビットマップ情報を更に含む
請求項１に記載の方法。
【請求項３】
前記方法は、更に、
前記端末が、前記ネットワーク装置から送信された、第１時間周期における前記Ｎ個のスロットの時間領域位置を決定するための第１構成情報を受信することを含む
請求項１に記載の方法。
【請求項４】
前記第１構成情報は、第１時間周期における前記Ｎ個のスロットの時間領域位置を決定するための第２ビットマップ情報を含む
請求項３に記載の方法。
【請求項５】
前記スロット構造情報はスロットフォーマットインジケーター（ＳＦＩ）インデックス情報を含み、
前記端末が前記第１制御情報に基づいて前記Ｎ個のスロットのスロット構造を決定することは、
前記端末が、前記Ｎ個のスロットのそれぞれに対応するＳＦＩインデックス情報に基づき、前記Ｎ個のスロットのスロット構造を決定することを含む
請求項１〜４のいずれか１項に記載の方法。
【請求項６】
前記方法は、更に、
前記端末が、前記ネットワーク装置から送信された、前記Ｎの値を決定するための第２構成情報を受信することを含む
請求項１〜５のいずれか１項に記載の方法。
【請求項７】
前記方法は、更に、
前記端末が、前記ネットワーク装置から送信された前記第１制御情報の情報長、及び前記第１制御情報に対応する第１時間周期の周期時間長を受信することと、
前記端末が、前記第１制御情報の情報長と前記第１制御情報に対応する第１時間周期の周期時間長とに基づき、前記Ｎの値を決定することと、を含む
請求項１〜５のいずれか１項に記載の方法。
【請求項８】
リソース構成方法であって、
ネットワーク装置が、端末へ第１制御情報を送信し、前記端末が前記第１制御情報に基づいて前記Ｎ個のスロットのスロット構造を決定するようにすることを含み、
前記第１制御情報がＮ個のスロットのスロット構造情報を含み、Ｎが正の整数である、前記リソース構成方法。
【請求項９】
前記第１制御情報は、第１時間周期における前記Ｎ個のスロットの時間領域位置を決定するための第１ビットマップ情報を更に含む
請求項８に記載の方法。
【請求項１０】
前記方法は、更に、
前記ネットワーク装置が、第１時間周期における前記Ｎ個のスロットの時間領域位置を決定するための第１構成情報を前記端末に送信することを含む
請求項８に記載の方法。
【請求項１１】
前記第１構成情報は、第１時間周期における前記Ｎ個のスロットの時間領域位置を決定するための第２ビットマップ情報を含む
請求項１０に記載の方法。
【請求項１２】
前記スロット構造情報はＳＦＩインデックス情報を含み、
前記端末が前記第１制御情報に基づいて前記Ｎ個のスロットのスロット構造を決定することは、
前記端末が、前記Ｎ個のスロットのそれぞれに対応するＳＦＩインデックス情報に基づき、前記Ｎ個のスロットのスロット構造を決定することを含む
請求項８〜１１のいずれか１項に記載の方法。
【請求項１３】
前記方法は、更に、
前記ネットワーク装置が、前記Ｎの値を決定するための第２構成情報を前記端末に送信することを含む
請求項８〜１２のいずれか１項に記載の方法。
【請求項１４】
前記方法は、更に、
前記ネットワーク装置が、前記端末へ前記第１制御情報の情報長及び前記第１制御情報に対応する第１時間周期の周期時間長を送信し、前記端末が前記第１制御情報の情報長と前記第１制御情報に対応する第１時間周期の周期時間長とに基づいて前記Ｎの値を決定するようにすることを含む
請求項８〜１２のいずれか１項に記載の方法。
【請求項１５】
リソース構成装置であって、
ネットワーク装置から送信された第１制御情報を受信するように構成され、前記第１制御情報がＮ個のスロットのスロット構造情報を含み、Ｎが正の整数である第１受信ユニットと、
前記第１制御情報に基づいて前記Ｎ個のスロットのスロット構造を決定するように構成される決定ユニットと、を備える、前記リソース構成装置。
【請求項１６】
前記第１制御情報は、第１時間周期における前記Ｎ個のスロットの時間領域位置を決定するための第１ビットマップ情報を更に含む
請求項１５に記載の装置。
【請求項１７】
前記装置は、更に、
前記ネットワーク装置から送信された、第１時間周期における前記Ｎ個のスロットの時間領域位置を決定するための第１構成情報を受信するように構成される第２受信ユニットを備える
請求項１５に記載の装置。
【請求項１８】
前記第１構成情報は、第１時間周期における前記Ｎ個のスロットの時間領域位置を決定するための第２ビットマップ情報を含む
請求項１７に記載の装置。
【請求項１９】
前記スロット構造情報はＳＦＩインデックス情報を含み、
前記決定ユニットは前記Ｎ個のスロットのそれぞれに対応するＳＦＩインデックス情報に基づき、前記Ｎ個のスロットのスロット構造を決定するように構成される
請求項１５〜１８のいずれか１項に記載の装置。
【請求項２０】
前記装置は、更に、
前記ネットワーク装置から送信された、前記Ｎの値を決定するための第２構成情報を受信するように構成される第３受信ユニットを備える
請求項１５〜１９のいずれか１項に記載の装置。
【請求項２１】
前記装置は、更に、
前記ネットワーク装置から送信された前記第１制御情報の情報長、及び前記第１制御情報に対応する第１時間周期の周期時間長を受信するように構成される第４受信ユニットを備え、
前記決定ユニットが、更に、前記第１制御情報の情報長と前記第１制御情報に対応する第１時間周期の周期時間長とに基づき、前記Ｎの値を決定するように構成される
請求項１５〜１９のいずれか１項に記載の装置。
【請求項２２】
リソース構成装置であって、
端末へ第１制御情報を送信し、前記端末が前記第１制御情報に基づいて前記Ｎ個のスロットのスロット構造を決定するようにするように構成される第１送信ユニットを備え、
前記第１制御情報がＮ個のスロットのスロット構造情報を含み、Ｎが正の整数である、前記リソース構成装置。
【請求項２３】
前記第１制御情報は、第１時間周期における前記Ｎ個のスロットの時間領域位置を決定するための第１ビットマップ情報を更に含む
請求項２２に記載の装置。
【請求項２４】
前記装置は、更に、
第１時間周期における前記Ｎ個のスロットの時間領域位置を決定するための第１構成情報を前記端末に送信するように構成される第２送信ユニットを備える
請求項２２に記載の装置。
【請求項２５】
前記第１構成情報は、第１時間周期における前記Ｎ個のスロットの時間領域位置を決定するための第２ビットマップ情報を含む
請求項２４に記載の装置。
【請求項２６】
前記スロット構造情報はＳＦＩインデックス情報を含み、
前記端末が前記第１制御情報に基づいて前記Ｎ個のスロットのスロット構造を決定することは、
前記端末が、前記Ｎ個のスロットのそれぞれに対応するＳＦＩインデックス情報に基づき、前記Ｎ個のスロットのスロット構造を決定することを含む
請求項２２〜２５のいずれか１項に記載の装置。
【請求項２７】
前記装置は、更に、
前記Ｎの値を決定するための第２構成情報を前記端末に送信するように構成される第３送信ユニットを備える
請求項２２〜２６のいずれか１項に記載の装置。
【請求項２８】
前記装置は、更に、
前記端末へ前記第１制御情報の情報長及び前記第１制御情報に対応する第１時間周期の周期時間長を送信し、前記端末が前記第１制御情報の情報長と前記第１制御情報に対応する第１時間周期の周期時間長とに基づいて前記Ｎの値を決定するようにするように構成される第４送信ユニットを備える
請求項２２〜２６のいずれか１項に記載の装置。
【請求項２９】
コンピュータ記憶媒体であって、
コンピュータ実行可能命令が記憶され、該コンピュータ実行可能命令がプロセッサにより実行されるとき、請求項１〜７のいずれか１項に記載の方法ステップ、又は請求項８〜１４のいずれか１項に記載の方法ステップを実現する、前記コンピュータ記憶媒体。
【発明の詳細な説明】
【技術分野】
【０００１】
本発明は無線通信技術分野に関し、特にリソース構成方法及び装置、コンピュータ記憶媒体に関する。
【背景技術】
【０００２】
新無線インターフェース（ＮＲ：Ｎｅｗ  Ｒａｄｉｏ）システムにおいて、スロット又はシンボルをスケジューリング単位とし、各スロットは、１４個の直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含む。ＮＲシステムのフレーム構造は柔軟に変化するものであり、１つのスロットに、ダウンリンク（ＤＬ：Ｄｏｗｎ  Ｌｉｎｋ）シンボル、アップリンク（ＵＬ：Ｕｐ  Ｌｉｎｋ）シンボル及びフレキシブルシンボル（ｆｌｅｘｉｂｌｅ  ｓｙｍｂｏｌ）があってもよく、フレキシブルシンボルが未知のシンボル（ｕｎｋｎｏｗｎ  ｓｙｍｂｏｌ）とも称され、シグナリングによって、フレキシブルシンボルを利用して、ＤＬ伝送又はＵＬ伝送の伝送方向をオーバライドすることができ、又はフレキシブルシンボルの伝送方向を変更させないようにすることができる。
【０００３】
具体的なスロットフォーマットはスロットフォーマットインジケーター（ＳＦＩ：Ｓｌｏｔ  Ｆｏｒｍａｔ  Ｉｎｄｉｃａｔｉｏｎ）情報により構成され、基地局は、グループ共通のダウンリンク制御チャネル（ＧＣ−ＰＤＣＣＨ：Ｇｒｏｕｐ  Ｃｏｍｍｏｎ  Ｐｈｙｓｉｃａｌ  Ｄｏｗｎｌｉｎｋ  Ｃｏｎｔｒｏｌ  Ｃｈａｎｎｅｌ）においてＳＦＩを送信し、ネットワークは、ＧＣ−ＰＤＣＣＨに対してサーチ空間を構成し、ＧＣ−ＰＤＣＣＨは、ネットワークにより構成されたサーチ空間において伝送される。
【０００４】
動的ＳＦＩは、１つの監視周期におけるすべてのスロットのスロットフォーマットを示すことができる。ＮＲシステムにおいて、動的ＳＦＩで示される監視周期は、最大２０個のスロットを含み、１つのＳＦＩは、該監視周期におけるすべてのスロットのスロットフォーマットを示す必要があり、各スロットのスロットフォーマットがＫビットで示される必要があって、ＳＦＩの総ビット数が２０×Ｋになり、例えばＫ＝６とする場合、ＳＦＩは１２０ビットが必要になるため、ＳＦＩの情報ビットが多すぎることになり、このため、ＧＣ−ＰＤＣＣＨのチャネル検出性能に影響してしまう。
【発明の概要】
【発明が解決しようとする課題】
【０００５】
上記技術的問題を解決するために、本発明の実施例はリソース構成方法及び装置、コンピュータ記憶媒体を提供する。
【課題を解決するための手段】
【０００６】
本発明の実施例に係るリソース構成方法であって、
端末がネットワーク装置から送信された第１制御情報を受信し、前記第１制御情報がＮ個のスロットのスロット構造情報を含み、Ｎが正の整数であることと、
前記端末が前記第１制御情報に基づいて前記Ｎ個のスロットのスロット構造を決定することと、を含む。
【０００７】
本発明の実施例では、前記第１制御情報は、第１時間周期における前記Ｎ個のスロットの時間領域位置を決定するための第１ビットマップ情報を更に含む。
【０００８】
本発明の実施例では、前記方法は、更に、
前記端末が、前記ネットワーク装置から送信された、第１時間周期における前記Ｎ個のスロットの時間領域位置を決定するための第１構成情報を受信することを含む。
【０００９】
本発明の実施例では、前記第１構成情報は、第１時間周期における前記Ｎ個のスロットの時間領域位置を決定するための第２ビットマップ情報を含む。
【００１０】
本発明の実施例では、前記スロット構造情報はＳＦＩインデックス情報を含み、
前記端末が前記第１制御情報に基づいて前記Ｎ個のスロットのスロット構造を決定することは、
前記端末が、前記Ｎ個のスロットのそれぞれに対応するＳＦＩインデックス情報に基づき、前記Ｎ個のスロットのスロット構造を決定することを含む。
【００１１】
本発明の実施例では、前記方法は、更に、
前記端末が、前記ネットワーク装置から送信された、前記Ｎの値を決定するための第２構成情報を受信することを含む。
【００１２】
本発明の実施例では、前記方法は、更に、
前記端末が、前記ネットワーク装置から送信された前記第１制御情報の情報長、及び前記第１制御情報に対応する第１時間周期の周期時間長を受信することと、
前記端末が、前記第１制御情報の情報長と前記第１制御情報に対応する第１時間周期の周期時間長とに基づき、前記Ｎの値を決定することと、を含む。
【００１３】
本発明の実施例に係るリソース構成方法であって、
ネットワーク装置が端末へ第１制御情報を送信し、前記端末が前記第１制御情報に基づいて前記Ｎ個のスロットのスロット構造を決定するようにすることを含み、
前記第１制御情報がＮ個のスロットのスロット構造情報を含み、Ｎが正の整数である。
【００１４】
本発明の実施例では、前記第１制御情報は、第１時間周期における前記Ｎ個のスロットの時間領域位置を決定するための第１ビットマップ情報を更に含む。
【００１５】
本発明の実施例では、前記方法は、更に、
前記ネットワーク装置が、第１時間周期における前記Ｎ個のスロットの時間領域位置を決定するための第１構成情報を前記端末に送信することを含む。
【００１６】
本発明の実施例では、前記第１構成情報は、第１時間周期における前記Ｎ個のスロットの時間領域位置を決定するための第２ビットマップ情報を含む。
【００１７】
本発明の実施例では、前記スロット構造情報はスロットフォーマットインジケーター（ＳＦＩ）インデックス情報を含み、
前記端末が前記第１制御情報に基づいて前記Ｎ個のスロットのスロット構造を決定することは、
前記端末が、前記Ｎ個のスロットのそれぞれに対応するＳＦＩインデックス情報に基づき、前記Ｎ個のスロットのスロット構造を決定することを含む。
【００１８】
本発明の実施例では、前記方法は、更に、
前記ネットワーク装置が、前記Ｎの値を決定するための第２構成情報を前記端末に送信することを含む。
【００１９】
本発明の実施例では、前記方法は、更に、
前記ネットワーク装置が、前記端末へ前記第１制御情報の情報長及び前記第１制御情報に対応する第１時間周期の周期時間長を送信し、前記端末が前記第１制御情報の情報長と前記第１制御情報に対応する第１時間周期の周期時間長とに基づいて前記Ｎの値を決定するようにすることを含む。
【００２０】
本発明の実施例に係るリソース構成装置であって、
ネットワーク装置から送信された第１制御情報を受信するように構成され、前記第１制御情報がＮ個のスロットのスロット構造情報を含み、Ｎが正の整数である第１受信ユニットと、
前記第１制御情報に基づいて前記Ｎ個のスロットのスロット構造を決定するように構成される決定ユニットと、を備える。
【００２１】
本発明の実施例では、前記第１制御情報は、第１時間周期における前記Ｎ個のスロットの時間領域位置を決定するための第１ビットマップ情報を更に含む。
【００２２】
本発明の実施例では、前記装置は、更に、
前記ネットワーク装置から送信された、第１時間周期における前記Ｎ個のスロットの時間領域位置を決定するための第１構成情報を受信するように構成される第２受信ユニットを備える。
【００２３】
本発明の実施例では、前記第１構成情報は、第１時間周期における前記Ｎ個のスロットの時間領域位置を決定するための第２ビットマップ情報を含む。
【００２４】
本発明の実施例では、前記スロット構造情報はＳＦＩインデックス情報を含み、
前記決定ユニットは前記Ｎ個のスロットのそれぞれに対応するＳＦＩインデックス情報に基づき、前記Ｎ個のスロットのスロット構造を決定するように構成される。
【００２５】
本発明の実施例では、前記装置は、更に、
前記ネットワーク装置から送信された、前記Ｎの値を決定するための第２構成情報を受信するように構成される第３受信ユニットを備える。
【００２６】
本発明の実施例では、前記装置は、更に、
前記ネットワーク装置から送信された前記第１制御情報の情報長、及び前記第１制御情報に対応する第１時間周期の周期時間長を受信するように構成される第４受信ユニットと、
更に、前記第１制御情報の情報長と前記第１制御情報に対応する第１時間周期の周期時間長とに基づき、前記Ｎの値を決定するように構成される前記決定ユニットと、を備える。
【００２７】
本発明の実施例に係るリソース構成装置であって、
端末へ第１制御情報を送信し、前記端末が前記第１制御情報に基づいて前記Ｎ個のスロットのスロット構造を決定するようにするように構成される第１送信ユニットを備え、
前記第１制御情報がＮ個のスロットのスロット構造情報を含み、Ｎが正の整数である。
【００２８】
本発明の実施例では、前記第１制御情報は、第１時間周期における前記Ｎ個のスロットの時間領域位置を決定するための第１ビットマップ情報を更に含む。
【００２９】
本発明の実施例では、前記装置は、更に、
第１時間周期における前記Ｎ個のスロットの時間領域位置を決定するための第１構成情報を前記端末に送信するように構成される第２送信ユニットを備える。
【００３０】
本発明の実施例では、前記第１構成情報は、第１時間周期における前記Ｎ個のスロットの時間領域位置を決定するための第２ビットマップ情報を含む。
【００３１】
本発明の実施例では、前記スロット構造情報はＳＦＩインデックス情報を含み、
前記端末が前記第１制御情報に基づいて前記Ｎ個のスロットのスロット構造を決定することは、
前記端末が、前記Ｎ個のスロットのそれぞれに対応するＳＦＩインデックス情報に基づき、前記Ｎ個のスロットのスロット構造を決定することを含む。
【００３２】
本発明の実施例では、前記装置は、更に、
前記Ｎの値を決定するための第２構成情報を前記端末に送信するように構成される第３送信ユニットを備える。
【００３３】
本発明の実施例では、前記装置は、更に、
前記端末へ前記第１制御情報の情報長及び前記第１制御情報に対応する第１時間周期の周期時間長を送信し、前記端末が前記第１制御情報の情報長と前記第１制御情報に対応する第１時間周期の周期時間長とに基づいて前記Ｎの値を決定するようにするように構成される第４送信ユニットを備える。
【００３４】
本発明の実施例に係るコンピュータ記憶媒体であって、該コンピュータ記憶媒体にコンピュータ実行可能命令が記憶され、該コンピュータ実行可能命令がプロセッサにより実行されるとき、上記リソース構成方法を実現する。
【発明の効果】
【００３５】
本発明の実施例の技術案において、端末がネットワーク装置から送信された第１制御情報を受信し、前記第１制御情報がＮ個のスロットのスロット構造情報を含み、Ｎが正の整数であり、前記端末が前記第１制御情報に基づいて前記Ｎ個のスロットのスロット構造を決定する。本発明の実施例の技術案を用いることにより、動的ＳＦＩによって、１つの監視周期におけるすべてのスロットのスロットフォーマットを示すことが必要なく、１つの監視周期における一部のスロット（例えば、Ｎ個のスロット）のスロットフォーマットのみを示してもよく、それと同時に、１つのビットマップ情報によって、ＳＦＩが１つの監視周期におけるどのスロットのスロット構造を示しているかについて示す。このようなＳＦＩは情報ビット数を大幅に節約し、ＳＦＩの情報ビット数が多すぎることに起因する、ＧＣ−ＰＤＣＣＨのチャネル検出性能への影響を回避する。
【図面の簡単な説明】
【００３６】
【図１】図１は本発明の実施例のリソース構成方法のフローチャート１である。
【図２】図２は本発明の実施例の第１制御情報の模式図１である。
【図３】図３は本発明の実施例の第１制御情報の模式図２である。
【図４】図４は本発明の実施例の第１構成情報及び第１制御情報の模式図である。
【図５】図５は本発明の実施例のリソース構成方法のフローチャート２である。
【図６】図６は本発明の実施例のリソース構成装置の構造模式図１である。
【図７】図７は本発明の実施例のリソース構成装置の構造模式図２である。
【図８】図８は本発明の実施例のコンピュータ装置の構造模式図である。
【発明を実施するための形態】
【００３７】
ここで説明される図面は本発明を更に理解するためのものであって、本願の一部となり、本発明の模式的な実施例及びその説明は本発明を解釈するためのものであって、本発明を不当に制限するものではない。
【００３８】
本発明の実施例の技術案を理解しやすくするために、以下に本発明の実施例に関わる関連構成を説明する。
【００３９】
システムのスロットフォーマットの構成方式は主に下記の通りである。
【００４０】
１、半静的スロットフォーマット構成であり、半静的スロットフォーマット構成は下記の二つをさらに含む。
【００４１】
１．１）  セル固有の半静的スロットフォーマット構成（Ｃｅｌｌ−ｓｐｅｃｉｆｉｃ  ｓｅｍｉ−ｐｅｒｓｉｓｔｅｎｔ  ｓｌｏｔ  ｆｏｒｍａｔ  ｃｏｎｆｉｇｕｒａｔｉｏｎ）、
１．２）  ユーザー固有の半静的スロットフォーマット構成（ＵＥ−ｓｐｅｃｉｆｉｃ  ｓｅｍｉ−ｐｅｒｓｉｓｔｅｎｔ  ｓｌｏｔ  ｆｏｒｍａｔ  ｃｏｎｆｉｇｕｒａｔｉｏｎ）。
【００４２】
２、動的スロットフォーマットインジケーター（Ｄｙｎａｍｉｃ  Ｓｌｏｔ  Ｆｏｒｍａｔ  Ｉｎｄｉｃａｔｉｏｎ）である。
【００４３】
一実施形態では、ネットワークは、半静的スロットフォーマット構成によって、アップリンク／ダウンリンクのスロット構造を構成し、半静的スロットフォーマット構成によって、スロットにおけるダウンリンク（ＤＬ）シンボル、アップリンク（ＵＬ）シンボル、フレキシブルシンボルの個数及び位置等を示すことができる。他の実施形態では、ネットワークは。動的シグナリング（例えば、ＧＣ−ＰＤＣＣＨ）を介してスロット構造を動的に示すためのＳＦＩを送信することができ、ＳＦＩによってＤＬシンボル、ＵＬシンボル及びフレキシブルシンボルを示すことができ、なお、ＳＦＩは、半静的スロットフォーマット構成と組み合わせてスロット構造を動的に示すことができ、半静的スロットフォーマット構成のスロット構造におけるＤＬシンボル及びＵＬシンボルは、動的ＳＦＩにより変えることができないが、フレキシブルシンボルは、動的ＳＦＩにより、ＤＬシンボル、ＵＬシンボルに変更されることができ、又はＳＦＩにより変更されなくてもよい。
【００４４】
一実施形態では、ネットワークは、複数のスロットフォーマットを含むテーブル、例えば６４個のスロットフォーマットを含むテーブルを構成し、各スロットフォーマットが１つのＳＦＩインデックスに対応し、ＳＦＩインデックスによって該テーブルから対応するスロットフォーマットをサーチすることができる。１つのスロットフォーマットは、１つのスロットのスロット構造を記述しており、具体的に１つのスロットにおけるダウンリンクシンボルの個数及び時間領域位置、アップリンクシンボルの個数及び時間領域位置、フレキシブルシンボルの個数及び時間領域位置等の情報を含む。
【００４５】
図１は本発明の実施例のリソース構成方法のフローチャート１であり、図１に示すように、前記リソース構成方法は以下のステップを含む。
【００４６】
ステップ１０１において、端末がネットワーク装置から送信された第１制御情報を受信し、前記第１制御情報がＮ個のスロットのスロット構造情報を含み、Ｎが正の整数である。
【００４７】
本発明の実施例では、前記端末は携帯電話、タブレットコンピュータ、ノートパソコン、ゲーム機、携帯情報端末、デスクトップパソコン等のいかなるネットワークと通信できる装置であってもよい。
【００４８】
本発明の実施例では、前記ネットワーク装置は基地局、例えば５ＧシステムにおけるｇＮＢ、４ＧシステムにおけるｅＮＢ等であってもよい。
【００４９】
本発明の実施例では、前記第１制御情報がＮ個のスロットのスロット構造情報を含み、一実施形態では、前記第１制御情報がＳＦＩであり、ＳＦＩが第１時間周期におけるＮ個のスロットのスロット構造を示してもよい。具体的に実現するとき、前記第１制御情報（すなわち、ＳＦＩ）がＧＣ−ＰＤＣＣＨにおいて伝送される。
【００５０】
例えば、前記第１時間周期はＳＦＩの監視周期、ＧＣ−ＰＤＣＣＨの所在するサーチ空間の監視周期又は半静的スロットフォーマット構成の周期である。
【００５１】
本発明の実施例では、前記スロット構造情報はＳＦＩインデックス情報を含み、図２に示すように、第１制御情報は４つのスロットのスロット構造情報を含み、１００１１０が１つのスロットのスロット構造情報を表し、１００１００が他のスロットのスロット構造情報を表し、００１０１１が別のスロットのスロット構造情報を表し、０１０１００が更なるスロットのスロット構造情報を表す。ここの１００１１０、１００１００、００１０１１及び０１０１００がいずれもＳＦＩインデックス情報である。ＳＦＩのインデックス情報が、１つのテーブルからのものであってもよく、前記テーブルが、ＳＦＩインデックスとスロットフォーマットとの対応関係を示し、前記テーブルが予め定義されたもの又はネットワークにより構成されたものである。
【００５２】
ステップ１０２において、前記端末が前記第１制御情報に基づいて前記Ｎ個のスロットのスロット構造を決定する。
【００５３】
本発明の実施例では、前記端末が、前記Ｎ個のスロットのそれぞれに対応するＳＦＩインデックス情報に基づき、前記Ｎ個のスロットのスロット構造を決定する。ここで、異なるＳＦＩインデックス情報が異なるスロット構造に対応し、ネットワークは様々な異なるＳＦＩインデックス情報とスロット構造との対応関係を記憶するためのテーブルを構成することができ、端末は該テーブル、すなわちＳＦＩインデックス情報に基づいて対応するスロット構造を決定することができる。
【００５４】
本発明の実施例では、端末はＮ個のスロットのスロット構造を取得した後、更にこのＮ個のスロットのスロット構造が第１時間周期におけるどのＮ個のスロットのスロット構造であるかを決定し、つまり第１時間周期における前記Ｎ個のスロットの時間領域位置を決定する必要があり、具体的に、端末は以下の方式で第１時間周期における前記Ｎ個のスロットの時間領域位置を決定することができる。
【００５５】
方式１
前記第１制御情報は、第１時間周期における前記Ｎ個のスロットの時間領域位置を決定するための第１ビットマップ情報を更に含む。
【００５６】
一実施例では、前記第１ビットマップ情報のビット長が第１時間周期に含まれるスロット数に等しく、第１ビットマップ情報における１つのビットが前記第１時間周期における１つのスロットに対応する。
【００５７】
図３に示すように、第１制御情報は、４つのスロットのスロット構造情報以外に、第１ビットマップ情報を更に含み、第１時間周期に１０個のスロットが含まれるとする場合、第１ビットマップ情報が、１０個のビットで第１時間周期における１０個のスロットを示し、各ビットが１つのスロットに対応する。あるスロットの対応するビットが１である場合、第１制御情報（例えば、ＳＦＩ）が該スロットのスロット構造を示すために用いられていると示す。異なるＳＦＩが異なる第１ビットマップ情報を設定することにより異なるスロットを示してもよい。図４に示すように、第１ビットマップ情報が１００１１０００１０である場合、この４つのスロットがそれぞれスロット０、スロット３、スロット４、スロット８であると示される。スロット０のスロット構造情報が１００１１０であり、スロット３のスロット構造情報が１００１００であり、スロット４のスロット構造情報が００１０１１であり、スロット８のスロット構造情報が０１０１００である。
【００５８】
方式２
前記端末が、前記ネットワーク装置から送信された、第１時間周期における前記Ｎ個のスロットの時間領域位置を決定するための第１構成情報を受信する。
【００５９】
一実施形態では、前記第１構成情報は、第１時間周期における前記Ｎ個のスロットの時間領域位置を決定するための第２ビットマップ情報を含む。
【００６０】
図４に示すように、第１制御情報は４つのスロットのスロット構造情報を含み、第１構成情報は第２ビットマップ情報を含み、第１時間周期に１０個のスロットが含まれるとする場合、第２ビットマップ情報が１０個のビットによって第１時間周期における１０個のスロットを示し、各ビットが１つのスロットに対応する。あるスロットに対応するビットが１である場合、第１制御情報（例えば、ＳＦＩ）が該スロットのスロット構造を示すために用いられていると示す。ネットワーク装置が第１構成情報における第２ビットマップ情報を変更することにより、第１制御情報に第１時間周期における異なるスロットのスロット構造を示させることを可能にする。図４に示すように、第２ビットマップ情報が１００１１０００１０である場合、この４つのスロットがそれぞれスロット０、スロット３、スロット４、スロット８であると示される。第１制御情報に４つのスロットのスロットフォーマットが含まれており、それらがそれぞれスロット０、スロット３、スロット４、スロット８に対応し、スロット０のスロット構造情報が１００１１０であり、スロット３のスロット構造情報が１００１００であり、スロット４のスロット構造情報が００１０１１であり、スロット８のスロット構造情報が０１０１００である。
【００６１】
本発明の実施例では、端末はＳＦＩが具体的にいくつのスロットを示すかを把握することを可能にするために、以下の操作により実現されてもよい。
【００６２】
１）前記端末が、前記ネットワーク装置から送信された、前記Ｎの値を決定するための第２構成情報を受信し、又は、
２）前記端末が、前記ネットワーク装置から送信された前記第１制御情報の情報長、及び前記第１制御情報に対応する第１時間周期の周期時間長を受信し、前記端末が前記第１制御情報の情報長、前記第１制御情報に対応する第１時間周期の周期時間長及び各スロット構造インデックス情報のビット数に基づき、前記Ｎの値を決定する。
【００６３】
１）については、ネットワーク装置が明示的な方式で端末にＮの値（すなわち、ＳＦＩに適用されるスロットの個数）を示し、例えば、ネットワークが、無線リソース制御シグナリング（ＲＲＣ：Ｒａｄｉｏ  Ｒｅｓｏｕｒｃｅ  Ｃｏｎｔｒｏｌ）又は制御シグナリングを介して前記Ｎの値が含まれる第２構成情報を送信する。
【００６４】
２）については、ネットワーク装置が暗黙的な方式で端末にＮの値（すなわち、ＳＦＩに適用されるスロットの個数）を示し、例えば、ＳＦＩの情報長がＢ＝３４ビットであって、ＳＦＩで示される第１時間周期がＡ＝１０個のスロットであり、端末が各スロット構造情報（すなわち、ＳＦＩインデックス情報）のビット数がＫ＝６ビットであることを知っている場合、端末は、該ＳＦＩに適用されるスロット個数がＮ＝（Ｂ−Ａ）／Ｋ＝４つのスロットであると決定できる。
【００６５】
図５は本発明の実施例のリソース構成方法のフローチャート２であり、図５に示すように、前記リソース構成方法は以下のステップを含む。
【００６６】
ステップ５０１において、ネットワーク装置が端末へ第１制御情報を送信し、前記端末が前記第１制御情報に基づいて前記Ｎ個のスロットのスロット構造を決定するようにし、前記第１制御情報がＮ個のスロットのスロット構造情報を含み、Ｎが正の整数である。
【００６７】
本発明の実施例では、前記端末は携帯電話、タブレットコンピュータ、ノートパソコン、ゲーム機、携帯情報端末、デスクトップパソコン等のいかなるネットワークと通信できる装置であってもよい。
【００６８】
本発明の実施例では、前記ネットワーク装置は基地局、例えば５ＧシステムにおけるｇＮＢ、４ＧシステムにおけるｅＮＢ等である。
【００６９】
本発明の実施例では、前記第１制御情報がＮ個のスロットのスロット構造情報を含み、一実施形態では、前記第１制御情報がＳＦＩであり、ＳＦＩが第１時間周期におけるＮ個のスロットのスロット構造を示してもよい。具体的に実現するとき、前記第１制御情報（すなわち、ＳＦＩ）がＧＣ−ＰＤＣＣＨにおいて伝送される。
【００７０】
本発明の実施例では、前記スロット構造情報はＳＦＩインデックス情報を含み、図２に示すように、第１制御情報は４つのスロットのスロット構造情報を含み、１００１１０が１つのスロットのスロット構造情報を表し、１００１００が他のスロットのスロット構造情報を表し、００１０１１が別のスロットのスロット構造情報を表し、０１０１００が更なるスロットのスロット構造情報を表す。ここの１００１１０、１００１００、００１０１１及び０１０１００がいずれもＳＦＩインデックス情報である。
【００７１】
本発明の実施例では、端末はＮ個のスロットのスロット構造を取得した後、更にこのＮ個のスロットのスロット構造が第１時間周期におけるどのＮ個のスロットのスロット構造であるかを決定し、つまり第１時間周期における前記Ｎ個のスロットの時間領域位置を決定する必要があり、以下の方式で第１時間周期における前記Ｎ個のスロットの時間領域位置を決定することができる。
【００７２】
方式１
前記第１制御情報は、第１時間周期における前記Ｎ個のスロットの時間領域位置を決定するための第１ビットマップ情報を更に含む。
【００７３】
方式２
前記ネットワーク装置が、第１時間周期における前記Ｎ個のスロットの時間領域位置を決定するための第１構成情報を前記端末に送信する。
【００７４】
一実施形態では、前記第１構成情報は、第１時間周期における前記Ｎ個のスロットの時間領域位置を決定するための第２ビットマップ情報を含む。
【００７５】
本発明の実施例では、端末はＳＦＩが具体的にいくつのスロットを示すかを把握することを可能にするために、以下の操作により実現されてもよい。
【００７６】
１）前記ネットワーク装置が、前記Ｎの値を決定するための第２構成情報を前記端末に送信し、又は、
２）前記ネットワーク装置が、前記端末へ前記第１制御情報の情報長及び前記第１制御情報に対応する第１時間周期の周期時間長を送信し、前記端末が前記第１制御情報の情報長と前記第１制御情報に対応する第１時間周期の周期時間長とに基づいて前記Ｎの値を決定するようにする。
【００７７】
１）については、ネットワーク装置が明示的な方式で端末にＮの値（すなわち、ＳＦＩに適用されるスロットの個数）を示す。
【００７８】
２）については、ネットワーク装置が暗黙的な方式で端末にＮの値（すなわち、ＳＦＩに適用されるスロットの個数）を示し、例えば、ＳＦＩの情報長がＢ＝３４ビットであって、ＳＦＩで示される第１時間周期がＡ＝１０個のスロットである場合、端末が各スロット構造情報（すなわち、ＳＦＩインデックス情報）のビット数がＫ＝６ビットであることを知っている場合、端末は、該ＳＦＩに適用されるスロット個数がＮ＝（Ｂ−Ａ）／Ｋ＝４つのスロットであると決定できる。
【００７９】
図６は本発明の実施例のリソース構成装置の構造模式図１であり、図６に示すように、前記リソース構成装置は、
ネットワーク装置から送信された第１制御情報を受信するように構成され、前記第１制御情報がＮ個のスロットのスロット構造情報を含み、Ｎが正の整数である第１受信ユニット６０１と、
前記第１制御情報に基づいて前記Ｎ個のスロットのスロット構造を決定するように構成される決定ユニット６０２と、を備える。
【００８０】
一実施形態では、前記第１制御情報は、第１時間周期における前記Ｎ個のスロットの時間領域位置を決定するための第１ビットマップ情報を更に含む。
【００８１】
一実施形態では、前記装置は、更に、
前記ネットワーク装置から送信された、第１時間周期における前記Ｎ個のスロットの時間領域位置を決定するための第１構成情報を受信するように構成される第２受信ユニット６０３を備える。
【００８２】
一実施形態では、前記第１構成情報は、第１時間周期における前記Ｎ個のスロットの時間領域位置を決定するための第２ビットマップ情報を含む。
【００８３】
一実施形態では、前記スロット構造情報はＳＦＩインデックス情報を含み、
前記決定ユニット６０２は前記Ｎ個のスロットのそれぞれに対応するＳＦＩインデックス情報に基づき、前記Ｎ個のスロットのスロット構造を決定するように構成される。
【００８４】
一実施形態では、前記装置は、更に、
前記ネットワーク装置から送信された、前記Ｎの値を決定するための第２構成情報を受信するように構成される第３受信ユニット６０４を備える。
【００８５】
一実施形態では、前記装置は、更に、
前記ネットワーク装置から送信された前記第１制御情報の情報長、及び前記第１制御情報に対応する第１時間周期の周期時間長を受信するように構成される第４受信ユニット６０５と、
更に、前記第１制御情報の情報長と前記第１制御情報に対応する第１時間周期の周期時間長とに基づき、前記Ｎの値を決定するように構成される前記決定ユニット６０２と、を備える。
【００８６】
なお、図６に示されるリソース構成装置における各ユニットの実現機能は上記リソース構成方法の関連説明を参照して理解されてもよい。図６に示されるリソース構成装置における各ユニットの機能はプロセッサにおいて実行されているプログラムにより実現されてもよいし、具体的な論理回路により実現されてもよい。
【００８７】
図７は本発明の実施例のリソース構成装置の構造模式図２であり、図７に示すように、前記リソース構成装置は、
端末へ第１制御情報を送信し、前記端末が前記第１制御情報に基づいて前記Ｎ個のスロットのスロット構造を決定するようにするように構成される第１送信ユニット７０１を備え、
前記第１制御情報がＮ個のスロットのスロット構造情報を含み、Ｎが正の整数である。
【００８８】
一実施形態では、前記第１制御情報は、第１時間周期における前記Ｎ個のスロットの時間領域位置を決定するための第１ビットマップ情報を更に含む。
【００８９】
一実施形態では、前記装置は、更に、
第１時間周期における前記Ｎ個のスロットの時間領域位置を決定するための第１構成情報を前記端末に送信するように構成される第２送信ユニット７０２を備える。
【００９０】
一実施形態では、前記第１構成情報は、第１時間周期における前記Ｎ個のスロットの時間領域位置を決定するための第２ビットマップ情報を含む。
【００９１】
一実施形態では、前記スロット構造情報はＳＦＩインデックス情報を含み、
前記端末が前記第１制御情報に基づいて前記Ｎ個のスロットのスロット構造を決定することは、
前記端末が、前記Ｎ個のスロットのそれぞれに対応するＳＦＩインデックス情報に基づき、前記Ｎ個のスロットのスロット構造を決定することを含む。
【００９２】
一実施形態では、前記装置は、更に、
前記Ｎの値を決定するための第２構成情報を前記端末に送信するように構成される第３送信ユニット７０３を備える。
【００９３】
一実施形態では、前記装置は、更に、
前記端末へ前記第１制御情報の情報長及び前記第１制御情報に対応する第１時間周期の周期時間長を送信し、前記端末が前記第１制御情報の情報長と前記第１制御情報に対応する第１時間周期の周期時間長とに基づいて前記Ｎの値を決定するようにするように構成される第４送信ユニット７０４を備える。
【００９４】
なお、図７に示されるリソース構成装置における各ユニットの実現機能は上記リソース構成方法の関連説明を参照して理解されてもよい。図７に示されるリソース構成装置における各ユニットの機能はプロセッサにおいて実行されているプログラムにより実現されてもよいし、具体的な論理回路により実現されてもよい。
【００９５】
本発明の実施例の上記リソース構成装置はソフトウェア機能モジュールの形式で実現され、独立した製品として販売又は使用されるときは、１つのコンピュータ可読記憶媒体に記憶されてもよい。このような理解に基づき、本発明の実施例の技術案の本質的又は従来技術に貢献する部分はソフトウェア製品の形式で具現されてもよく、該コンピュータソフトウェア製品は、１台のコンピュータ装置（パーソナルコンピュータ、サーバ又はネットワーク装置等）に本発明の各実施例に記載の方法の全部又は一部を実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせに制限されるものではない。
【００９６】
それに対応して、本発明の実施例は更にコンピュータ記憶媒体を提供し、該コンピュータ記憶媒体にコンピュータ実行可能命令が記憶され、該コンピュータ実行可能命令がプロセッサにより実行されるとき、本発明の実施例の上記リソース構成方法を実現する。
【００９７】
図８は本発明の実施例のコンピュータ装置の構造模式図であり、該コンピュータ装置は端末であってもよいし、ネットワーク装置であってもよい。図８に示すように、コンピュータ装置１００は１つ又は複数の（図面には１つのみを示す）プロセッサ１００２（プロセッサ１００２はマイクロコントローラユニット（ＭＣＵ：Ｍｉｃｒｏ  Ｃｏｎｔｒｏｌｌｅｒ  Ｕｎｉｔ）又はフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、それらに限らない）、データを記憶するためのメモリ１００４、及び通信機能のための伝送装置１００６を備えてもよい。当業者であれば理解されるように、図８に示される構造は模式的なものであって、上記電子装置の構造を制限するためのものではない。例えば、コンピュータ装置１００は更に図８より多く又は少ないコンポーネントを備え、又は図８と異なる構成を有してもよい。
【００９８】
メモリ１００４はアプリケーションソフトウェアのソフトウェアプログラム及びモジュール、例えば本発明の実施例における方法に対応するプログラム命令／モジュールを記憶するように構成されてもよく、プロセッサ１００２はメモリ１００４に記憶されるソフトウェアプログラム及びモジュールを実行することにより、様々な機能アプリケーション及びデータ処理を実行し、つまり上記方法を実現する。メモリ１００４は高速ランダムアクセスメモリを含んでもよいし、更に不揮発性メモリ、例えば１つ又は複数の磁気記憶装置、フラッシュメモリ又は他の不揮発性固体メモリを含んでもよい。いくつかの実例では、メモリ１００４は更にプロセッサ１００２に対して遠隔設置されるメモリを含んでもよく、これらの遠隔メモリはネットワーク経由でコンピュータ装置１００に接続できる。上記ネットワークの実例はインターネット、イントラネット、ローカルエリアネットワーク、移動通信ネットワーク及びそれらの組み合わせを含むが、それらに限らない。
【００９９】
伝送装置１００６は１つのネットワーク経由でデータを受信又は送信するように構成される。上記ネットワークの具体的な実例はコンピュータ装置１００の通信プロバイダの提供する無線ネットワークを含んでもよい。一実例では、伝送装置１００６は基地局によって他のネットワーク装置に接続されることによりインターネットと通信することができる１つのネットワークインターフェースコントローラ（ＮＩＣ：Ｎｅｔｗｏｒｋ  Ｉｎｔｅｒｆａｃｅ  Ｃｏｎｔｒｏｌｌｅｒ）を備える。一実例では、伝送装置１００６は無線方式でインターネットと通信するための無線周波数（ＲＦ：Ｒａｄｉｏ  Ｆｒｅｑｕｅｎｃｙ）モジュールであってもよい。
【０１００】
衝突しない限り、本発明の実施例に記載の技術案は任意に組み合わせられてもよい。
【０１０１】
本発明に係るいくつかの実施例では、理解されることができるように、開示される方法及びスマートデバイスは他の方式で実現されてもよい。以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。また、表示又は検討される各構成部分間の結合、又は直接結合、又は通信接続はいくつかのインターフェース、装置又はユニットによる間接結合又は通信接続であってもよく、電気、機械又は他の形式であってもよい。
【０１０２】
分離部材として説明される上記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１０３】
また、本発明の各実施例では、各機能ユニットはいずれも１つの第２処理ユニットに統合されてもよく、各ユニットはそれぞれ独立して１つのユニットとされてもよく、２つ又は２つ以上のユニットは１つのユニットに統合されてもよく、上記統合されたユニットはハードウェアの形式で実現されてもよいし、ハードウェアプラスソフトウェア機能ユニットの形式で実現されてもよい。
【０１０４】
以上の説明は本発明の具体的な実施形態であって、本発明の保護範囲を制限するためのものではなく、当業者が本発明に開示される技術的範囲内に容易に想到し得る変更や置換は、いずれも本発明の保護範囲内に含まれるべきである。
【図１】
2021516471.tif 000003
【図２】
2021516471.tif 000004
【図３】
2021516471.tif 000005
【図４】
2021516471.tif 000006
【図５】
2021516471.tif 000007
【図６】
2021516471.tif 000008
【図７】
2021516471.tif 000009
【図８】
2021516471.tif 000010
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
リソース構成方法であって、
端末が、ネットワーク装置から送信された第１制御情報を受信し、前記第１制御情報がＮ個のスロットのスロット構造情報を含み、Ｎが正の整数であることと、
前記端末が、前記第１制御情報に基づいて前記Ｎ個のスロットのスロット構造を決定することと、を含む、前記リソース構成方法。
【請求項２】
前記方法は、
前記端末が、前記ネットワーク装置から送信された、前記Ｎ個のスロットの時間領域位置を決定するための第１構成情報を受信することを含む、
請求項１に記載の方法。
【請求項３】
前記端末が、前記ネットワーク装置から送信された、前記Ｎ個のスロットの時間領域位置を決定するための第１構成情報を受信することは、
前記端末が、前記ネットワーク装置から送信された、第１時間周期における前記Ｎ個のスロットの時間領域位置を決定するための第１構成情報を受信することを含む
請求項２に記載の方法。
【請求項４】
前記第１時間周期が、前記第１制御情報の監視周期であり、又は、前記第１制御情報の所在するサーチ空間の監視周期である、
請求項３に記載の方法。
【請求項５】
前記第１構成情報は、第１時間周期における前記Ｎ個のスロットの時間領域位置を決定するための第２ビットマップ情報を含む
請求項３に記載の方法。
【請求項６】
前記スロット構造情報はスロットフォーマットインジケーター（ＳＦＩ）インデックス情報を含み、
前記端末が前記第１制御情報に基づいて前記Ｎ個のスロットのスロット構造を決定することは、
前記端末が、前記Ｎ個のスロットのそれぞれに対応するＳＦＩインデックス情報に基づき、前記Ｎ個のスロットのスロット構造を決定することを含む
請求項１〜５のいずれか１項に記載の方法。
【請求項７】
前記方法は、更に、
前記端末が、前記ネットワーク装置から送信された、前記Ｎの値を決定するための第２構成情報を受信することを含む
請求項１〜６のいずれか１項に記載の方法。
【請求項８】
前記方法は、更に、
前記端末が、ＳＦＩインデックスとスロットフォーマットとの対応関係を示すためのテーブルを取得することを含む、
請求項６に記載の方法。
【請求項９】
前記テーブルが予め定義されたもの又はネットワークにより構成されたものである、
請求項８に記載の方法。
【請求項１０】
前記方法は、更に、
前記端末が、前記ネットワーク装置から送信された前記第１制御情報の情報長、及び前記第１制御情報に対応する第１時間周期の周期時間長を受信することと、
前記端末が、前記第１制御情報の情報長と前記第１制御情報に対応する第１時間周期の周期時間長とに基づき、前記Ｎの値を決定することと、を含む
請求項１〜６のいずれか１項に記載の方法。
【請求項１１】
リソース構成装置であって、
ネットワーク装置から送信された第１制御情報を受信するように構成され、前記第１制御情報がＮ個のスロットのスロット構造情報を含み、Ｎが正の整数である第１受信ユニットと、
前記第１制御情報に基づいて前記Ｎ個のスロットのスロット構造を決定するように構成される決定ユニットと、を備える、前記リソース構成装置。
【請求項１２】
第２受信ユニットをさらに備え、
前記第２受信ユニットが、前記ネットワーク装置から送信された、前記Ｎ個のスロットの時間領域位置を決定するための第１構成情報を受信するように構成される、
請求項１１に記載の装置。
【請求項１３】
前記第２受信ユニットが、前記ネットワーク装置から送信された、第１時間周期における前記Ｎ個のスロットの時間領域位置を決定するための第１構成情報を受信するようにさらに構成される
請求項１２に記載の装置。
【請求項１４】
前記第１時間周期が、前記第１制御情報の監視周期であり、又は、前記第１制御情報の所在するサーチ空間の監視周期である、
請求項１３に記載の装置。
【請求項１５】
前記第１構成情報は、第１時間周期における前記Ｎ個のスロットの時間領域位置を決定するための第２ビットマップ情報を含む
請求項１３に記載の装置。
【請求項１６】
前記スロット構造情報はＳＦＩインデックス情報を含み、
前記決定ユニットは前記Ｎ個のスロットのそれぞれに対応するＳＦＩインデックス情報に基づき、前記Ｎ個のスロットのスロット構造を決定するように構成される
請求項１１〜１５のいずれか１項に記載の装置。
【請求項１７】
前記装置は、更に、
前記ネットワーク装置から送信された、前記Ｎの値を決定するための第２構成情報を受信するように構成される第３受信ユニットを備える
請求項１１〜１６のいずれか１項に記載の装置。
【請求項１８】
前記決定ユニットが、ＳＦＩインデックスとスロットフォーマットとの対応関係を示すためのテーブルを取得するようにさらに構成される、
請求項１６に記載の装置。
【請求項１９】
前記テーブルが予め定義されたもの又はネットワークにより構成されたものである、
請求項１８に記載の装置。
【請求項２０】
前記装置は、更に、
前記ネットワーク装置から送信された前記第１制御情報の情報長、及び前記第１制御情報に対応する第１時間周期の周期時間長を受信するように構成される第４受信ユニットを備え、
前記決定ユニットが、更に、前記第１制御情報の情報長と前記第１制御情報に対応する第１時間周期の周期時間長とに基づき、前記Ｎの値を決定するように構成される
請求項１１〜１６のいずれか１項に記載の装置。
【国際調査報告】
2021516471.tif 000011
2021516471.tif 000012
2021516471.tif 000013
2021516471.tif 000014